Podtech/llm-jp-corpus-v4-ja_patent huggingface dataset:
【手続補正書】
【提出日】平成17年9月2日(2005.9.2)
【手続補正１】
【補正対象書類名】明細書
【補正対象項目名】特許請求の範囲
【補正方法】変更
【補正の内容】
【特許請求の範囲】
【請求項１】
インク記録ヘッドで印刷する記録用紙を副走査させる画像形成装置であって、
該装置に対して脱着可能なインクカートリッジと、
前記インク記録ヘッドにインクを供給するサブタンクと、
前記インクカートリッジから前記サブタンクへインクを供給するインク供給手段と、
前記インクカートリッジの脱着を検出する脱着検出手段と、を備え、
前記インクカートリッジの抜けを検出したときには、前記副走査の動作を即時停止することを特徴とする画像形成装置。
【請求項２】
インク記録ヘッドを主走査させて記録用紙に印刷を行う画像形成装置であって、
該装置に対して脱着可能なインクカートリッジと、
前記インク記録ヘッドと共にキャリッジに搭載され、該インク記録ヘッドにインクを供給するサブタンクと、
前記インクカートリッジから前記サブタンクへインクを供給するインク供給手段と、
前記インクカートリッジの脱着を検出する脱着検出手段と、を備え、
前記インクカートリッジの抜けを検出したときには、前記主走査の動作を即時停止することを特徴とする画像形成装置。 
【請求項３】
インク記録ヘッドを主走査させて記録用紙に印刷を行う画像形成装置であって、
該装置に対して脱着可能なインクカートリッジと、
前記インク記録ヘッドと共にキャリッジに搭載され、該インク記録ヘッドにインクを供給するサブタンクと、
前記インクカートリッジから前記サブタンクへインクを供給するインク供給手段と、
前記インクカートリッジの脱着を検出する脱着検出手段と、を備え、
前記インクカートリッジの抜けを検出したときには、走査中の主走査の動作が終了した時点で主走査を停止することを特徴とする画像形成装置。
【請求項４】
請求項３に記載の画像形成装置において、前記インクカートリッジの脱着状態を保持する機能を有し、前記主走査の動作終了時点で前記インクカートリッジが装着状態にある場合には、要求された主走査の動作を継続することを特徴とする画像形成装置。
【請求項５】
インク記録ヘッドを主走査させるとともに、記録用紙を副走査させることにより該記録紙に印刷を行う画像形成装置であって、
該装置に対して脱着可能なインクカートリッジと、
前記インク記録ヘッドと共にキャリッジに搭載され、該インク記録ヘッドにインクを供給するサブタンクと、
前記インクカートリッジから前記サブタンクへインクを供給するインク供給手段と、
前記インクカートリッジの脱着を検出する脱着検出手段と、を備え、
前記インクカートリッジの抜けを検出したときには、走査中の主走査の動作が終了した時点で主走査を停止し、前記主走査動作の終了後、前記副走査の動作の要求がある場合は、副走査の動作を継続することを特徴とする画像形成装置。
【請求項６】
請求項５に記載の画像形成装置において、前記副走査の動作終了時、前記インクカートリッジが装着状態にある場合には、要求された主走査・副走査の動作を継続することを特徴とする画像形成装置。
【手続補正２】
【補正対象書類名】明細書
【補正対象項目名】０００４
【補正方法】変更
【補正の内容】
【０００４】
【課題を解決するための手段】
上述の問題点を解決するために、請求項１記載の発明は、インク記録ヘッドで印刷する記録用紙を副走査させる画像形成装置であって、該装置に対して脱着可能なインクカートリッジと、前記インク記録ヘッドにインクを供給するサブタンクと、前記インクカートリッジから前記サブタンクへインクを供給するインク供給手段と、前記インクカートリッジの脱着を検出する脱着検出手段と、を備え、前記インクカートリッジの抜けを検出したときには、前記副走査の動作を即時停止する画像形成装置を最も主要な特徴とする。
請求項２記載の発明は、インク記録ヘッドを主走査させて記録用紙に印刷を行う画像形成装置であって、該装置に対して脱着可能なインクカートリッジと、前記インク記録ヘッドと共にキャリッジに搭載され、該インク記録ヘッドにインクを供給するサブタンクと、前記インクカートリッジから前記サブタンクへインクを供給するインク供給手段と、
前記インクカートリッジの脱着を検出する脱着検出手段と、を備え、前記インクカートリッジの抜けを検出したときには、前記主走査の動作を即時停止する画像形成装置を最も主要な特徴とする。
請求項３記載の発明は、インク記録ヘッドを主走査させて記録用紙に印刷を行う画像形成装置であって、該装置に対して脱着可能なインクカートリッジと、前記インク記録ヘッドと共にキャリッジに搭載され、該インク記録ヘッドにインクを供給するサブタンクと、前記インクカートリッジから前記サブタンクへインクを供給するインク供給手段と、
前記インクカートリッジの脱着を検出する脱着検出手段と、を備え、前記インクカートリッジの抜けを検出したときには、走査中の主走査の動作が終了した時点で主走査を停止する画像形成装置を最も主要な特徴とする。
請求項４記載の発明は、請求項３に記載の画像形成装置において、前記インクカートリッジの脱着状態を保持する機能を有し、前記主走査の動作終了時点で前記インクカートリッジが装着状態にある場合には、要求された主走査の動作を継続する画像形成装置を最も主要な特徴とする。
請求項５記載の発明は、インク記録ヘッドを主走査させるとともに、記録用紙を副走査させることにより該記録紙に印刷を行う画像形成装置であって、該装置に対して脱着可能なインクカートリッジと、前記インク記録ヘッドと共にキャリッジに搭載され、該インク記録ヘッドにインクを供給するサブタンクと、前記インクカートリッジから前記サブタンクへインクを供給するインク供給手段と、前記インクカートリッジの脱着を検出する脱着検出手段と、を備え、前記インクカートリッジの抜けを検出したときには、走査中の主走査の動作が終了した時点で主走査を停止し、前記主走査動作の終了後、前記副走査の動作の要求がある場合は、副走査の動作を継続する画像形成装置を最も主要な特徴とする。
請求項６記載の発明は、請求項５に記載の画像形成装置において、前記副走査の動作終了時、前記インクカートリッジが装着状態にある場合には、要求された主走査・副走査の動作を継続する画像形成装置を最も主要な特徴とする。
【手続補正３】
【補正対象書類名】明細書
【補正対象項目名】００１８
【補正方法】変更
【補正の内容】
【００１８】
【発明の効果】
以上説明したように、請求項１によれば、インクカートリッジの抜け検出時は副走査モータを停止させるので、例えば、インクカートリッジ外れ時に副走査の動作によってインク漏れが起こり得る装置において、使用者によるインクカートリッジの誤操作があっても機械にダメージを与えずに停止させることができ、装置の信頼性を向上させることができる。
請求項２によれば、インクカートリッジの抜け検出時は主走査モータを停止させるので、例えば、インクカートリッジ外れ時に主走査の動作によってインク漏れが起きたり、画像の不具合が起こり得る装置において、使用者によるインクカートリッジの誤操作があっても機械にダメージを与えずに停止させることができ、装置の信頼性を向上させることができる。
【手続補正書】
【提出日】平成17年9月29日(2005.9.29)
【手続補正１】
【補正対象書類名】明細書
【補正対象項目名】０００３
【補正方法】変更
【補正の内容】
【０００３】  
【発明が解決しようとする課題】
通常ブロック肉のスライス作業内容は、本体によりスライスされた肉を手で受取り、テーブル上面に置いたトレイに配置する。よって、本体の肉片が出てくる位置と、手で受取る位置のスペースが大きい程作業性が向上する。従来の技術では丸刃保持部材の当て板側適所に丸刃カバー保持部材を丸刃の軸方向で反丸刃側に延長させた状態に設け、該丸刃カバー保持部材の反丸刃側端部に支点を上下方向に設け、該支点に丸刃カバー保持部材と丸刃カバーに軸と穴で着脱可能に嵌合させ、丸刃カバーを丸刃保持部材の当て板側側面に有していたので、丸刃保持部材の丸刃カバー保持部材を固定する個所を大きく取る必要があり、また、丸刃回転用のベルトと丸刃保持部材とのすきまを確保するため、丸刃カバーの位置がを当て板側となっていて、本体の肉片が出てくる位置と、手で受取る位置のスペースが小さく作業性が悪かった。丸刃保持部材の位置を反当て板側に移動させ、ベルトとのすきまを確保すれば、丸刃カバーの位置も反当て板側に位置することが出来るが製品本体の大きさが大きくなり、製品質量の増加、設置場所のスペース、価格ＵＰのため採用してない。丸刃軸部等へのスライス肉片や肉屑が浸入することを考えれば丸刃カバーを削除できない。また、丸刃カバーを固定する部材に多くの費用がかかり原価高となっていた。
【手続補正２】
【補正対象書類名】明細書
【補正対象項目名】０００４
【補正方法】変更
【補正の内容】
【０００４】
本発明の目的は、上記した従来技術の欠点を無くし、本体の肉片が出てくる位置と、手で受取る位置のスペースを大きくし作業性を向上させ、るのと同じに部材を少なくし食肉スライサーを安く提供することである。
【手続補正書】
【提出日】平成17年9月26日(2005.9.26)
【手続補正１】
【補正対象書類名】特許請求の範囲
【補正対象項目名】全文
【補正方法】変更
【補正の内容】
【特許請求の範囲】
【請求項１】
筒状部を有し回転軸線の回りを回転するフライホイールと、
このフライホイールの内周面に設けられフライホイールととともに回転する複数個の磁石と、
径方向外側に突出した複数のティースを有し前記磁石と対向した固定子鉄心と、
前記ティースに導線が巻回されて設けられた発電コイルとを備え、
前記固定子鉄心は、複数の磁性薄板鋼板を積層した積層鉄心と、この積層鉄心の両側面を挟むように配置された一対の端板とを有した磁石発電機において、
一対の前記端板の少なくとも一方は、前記磁性薄板鋼板よりも放熱性が高い金属材料で構成されている磁石発電機。
【請求項２】
前記金属材料は、鋼板よりも引張強度が高い請求項１に記載の磁石発電機。
【請求項３】
前記固定子鉄心の前記ティースのうち、少なくとも一方の前記端板の前記回転軸線を中心とした回転方向の周方向の幅寸法が前記積層鉄心の周方向の幅寸法よりも小さい請求項１に記載の磁石発電機。
【請求項４】
筒状部の内周に配置された複数個の磁石を配置し、回転軸線の回りに回転する筒状回転子と、径方向外側に突出した複数のティースを有し前記磁石と対向した固定子鉄心と、前記ティースに導線が巻回されて設けられた発電コイルとを備え、前記固定子鉄心は、複数の磁性薄板を積層した積層鉄心と、この積層鉄心の両側面を挟むように配置された一対の端板とを有した磁石発電機において、
一対の前記端板の少なくとも一方は、前記磁性薄板鋼板よりも放熱性が高い金属材料で構成され、前記端板の前記回転軸線を中心とした回転方向の周方向の幅寸法が、前記積層鉄心の周方向の幅寸法よりも小さい磁石発電機。
【請求項５】
筒状部の内周に配置された複数個の磁石を配置し、回転軸線の回りに回転する筒状回転子と、径方向外側に突出した複数のティースを有し前記磁石と対向した固定子鉄心と、前記ティースに導線が巻回されて設けられた発電コイルとを備え、前記固定子鉄心は、複数の磁性薄板を積層した積層鉄心と、この積層鉄心の両側面を挟むように配置された一対の端板とを有した磁石発電機において、
前記一対の端板は反積層鉄心側のエッジ部分に面取りが施され、一対の前記端板の少なくとも一方は前記磁性薄板鋼板よりも放熱性が高い金属材料で構成されている磁石発電機。
【請求項６】
前記金属材料はアルミニウム（Ａ２０１７−Ｔ４）である請求項１ないし請求項５の何れか１項に記載の磁石発電機。
【手続補正書】
【提出日】平成17年6月8日(2005.6.8)
【手続補正１】
【補正対象書類名】特許請求の範囲
【補正対象項目名】請求項１
【補正方法】変更
【補正の内容】
【請求項１】
育成植物を植え付けるベース部を備えた育成用閉空間を有する植物育成装置と、該植物育成装置に隣接又は内包するように配設され、上記育成用閉空間内の環境を含めた植物育成に要する育成要素の制御を行う制御機器及び上記育成用閉空間内の環境状態を検知するセンサー類と、上記制御機器の制御情報や上記センサー類で検知した環境の情報を統合する制御ユニットとを顧客側に備え、インターネットを通じて上記制御ユニットとの間で情報の授受を行うサーバーを事業者側に備え、事業者側の上記サーバーから上記インターネットを通じて上記制御ユニットへ植物育成情報を与える第１のステップと、与えられた上記植物育成情報に基づいて上記制御ユニットにより上記制御機器及び上記センサー類を使用して上記育成用閉空間内の環境を制御して、上記育成植物を育成する第２のステップと、上記育成用閉空間内の環境の情報と育成植物の成育状態を結果情報として制御ユニットからインターネットを介して上記事業者側のサーバーへ伝達する第３のステップと、結果情報から事業者側で分類解析する第４のステップと、複数の上記植物育成装置から送信された結果情報についての分類解析の結果に基づいて植物育成情報を生成又は更新していく第５のステップと、該第５のステップで生成又は更新した植物育成情報を上記インターネットを通じて接続された他の又は同一の顧客側の上記制御ユニットに提供する第６のステップとから成ることを特徴とする植物育成情報の取得方法。
【手続補正２】
【補正対象書類名】特許請求の範囲
【補正対象項目名】請求項２
【補正方法】変更
【補正の内容】
【請求項２】
上記第１のステップから上記第６のステップをサイクリックに繰り返すことを特徴とする請求項１記載の植物育成情報の取得方法。
【手続補正３】
【補正対象書類名】明細書
【補正対象項目名】００２４
【補正方法】変更
【補正の内容】
【００２４】
上述の目的を達成するために、請求項１の発明では、育成植物を植え付けるベース部を備えた育成用閉空間を有する植物育成装置と、該植物育成装置に隣接又は内包するように配設され、上記育成用閉空間内の環境を含めた植物育成に要する育成要素の制御を行う制御機器及び上記育成用閉空間内の環境状態を検知するセンサー類と、上記制御機器の制御情報や上記センサー類で検知した環境の情報を統合する制御ユニットとを顧客側に備え、インターネットを通じて上記制御ユニットとの間で情報の授受を行うサーバーを事業者側に備え、事業者側の上記サーバーから上記インターネットを通じて上記制御ユニットへ植物育成情報を与える第１のステップと、与えられた上記植物育成情報に基づいて上記制御ユニットにより上記制御機器及び上記センサー類を使用して上記育成用閉空間内の環境を制御して、上記育成植物を育成する第２のステップと、上記育成用閉空間内の環境の情報と育成植物の成育状態を結果情報として制御ユニットからインターネットを介して上記事業者側のサーバーへ伝達する第３のステップと、結果情報から事業者側で分類解析する第４のステップと、複数の上記植物育成装置から送信された結果情報についての分類解析の結果に基づいて植物育成情報を生成又は更新していく第５のステップと、該第５のステップで生成又は更新した植物育成情報を上記インターネットを通じて接続された他の又は同一の顧客側の上記制御ユニットに提供する第６のステップとから成ることを特徴とする。
【手続補正４】
【補正対象書類名】明細書
【補正対象項目名】００２５
【補正方法】変更
【補正の内容】
【００２５】
請求項２の発明では、請求項１の発明において、上記第１のステップから上記第６のステップをサイクリックに繰り返すことを特徴とする。
【手続補正５】
【補正対象書類名】明細書
【補正対象項目名】００４０
【補正方法】変更
【補正の内容】
【００４０】
請求項１の植物育成情報の取得方法の発明は、育成植物を植え付けるベース部を備えた育成用閉空間を有する植物育成装置と、該植物育成装置に隣接又は内包するように配設され、上記育成用閉空間内の環境を含めた植物育成に要する育成要素の制御を行う制御機器及び上記育成用閉空間内の環境状態を検知するセンサー類と、上記制御機器の制御情報や上記センサー類で検知した環境の情報を統合する制御ユニットとを顧客側に備え、インターネットを通じて上記制御ユニットとの間で情報の授受を行うサーバーを事業者側に備え、事業者側の上記サーバーから上記インターネットを通じて上記制御ユニットへ植物育成情報を与える第１のステップと、与えられた上記植物育成情報に基づいて上記制御ユニットにより上記制御機器及び上記センサー類を使用して上記育成用閉空間内の環境を制御して、上記育成植物を育成する第２のステップと、上記育成用閉空間内の環境の情報と育成植物の成育状態を結果情報として制御ユニットからインターネットを介して上記事業者側のサーバーへ伝達する第３のステップと、結果情報から事業者側で分類解析する第４のステップと、複数の上記植物育成装置から送信された結果情報についての分類解析の結果に基づいて植物育成情報を生成又は更新していく第５のステップと、該第５のステップで生成又は更新した植物育成情報を上記インターネットを通じて接続された他の又は同一の顧客側の上記制御ユニットに提供する第６のステップとから成るので、顧客側で事業者側から提供される植物育成情報に基づいて植物育成装置の育成用閉空間内で植物育成ができ、しかも事業者側では顧客側の植物育成に基づいた結果情報により様々な植物の持つ多様性の解明研究が、安価に短い期間で可能となり、結果植物研究の分野で飛躍的な進歩を促すことができるという効果がある。
【手続補正６】
【補正対象書類名】明細書
【補正対象項目名】００４１
【補正方法】変更
【補正の内容】
【００４１】
請求項２の発明は、請求項１の発明において、上記第１のステップから上記第６のステップをサイクリックに繰り返すので、植物育成情報の正確さを増すことができるとともに、詳細なカテゴリー毎の分類も可能となる。
【手続補正７】
【補正対象書類名】明細書
【補正対象項目名】００６７
【補正方法】変更
【補正の内容】
【００６７】
第４のステップとして、第３のステップで得られた結果情報を事業者Ｂ側のサーバー４で受けて蓄積すると共に、自動或いは手動でカテゴリー毎に分類解析し、更に新たな植物育成情報を生成又は更新する（第５のステップ）。
【手続補正８】
【補正対象書類名】明細書
【補正対象項目名】００６９
【補正方法】変更
【補正の内容】
【００６９】
また上記第１乃至第５のステップによって得られた正確さを増した新たな植物育成情報（育成プログラム）をインターネットＩＮＴを通じて接続された他の又は同一の顧客Ａ側の制御ユニット２に提供する第６のステップを設け、前記の第１乃至第６のステップをサイクリックに実行することにより（図３参照）、植物育成情報は更に正確さを増すことができ、また詳細なカテゴリー毎の分類も可能となってくる。
【手続補正書】
【提出日】平成17年10月21日(2005.10.21)
【手続補正１】
【補正対象書類名】明細書
【補正対象項目名】００４３
【補正方法】変更
【補正の内容】
【００４３】
次に、図２を用いて同期制御器ＳＹＮＣの詳細を説明する。図２に示す同期制御器ＳＹＮＣは系統電圧Ｖｓを３相２相変換して得られるＶαおよびＶβと、発電機Ｇｅｎの固定子電圧一相分（図２ではＵ相電圧Ｖｇｕ）を入力する。
【手続補正書】
【提出日】平成17年10月24日(2005.10.24)
【手続補正１】
【補正対象書類名】明細書
【補正対象項目名】請求項１
【補正方法】変更
【補正の内容】
【請求項１】 処理部と、この処理部に連携した記憶部と、払い出し制御部と、表示部と、カードＩＤを読み取るカード読み取り部とを、個々の遊技台に対応して個別に設け、上記処理部は、予め設定された条件に基づいて、払い出し命令信号を払い出し制御部に対して出力する機能と、上記払い出し命令信号の出力毎に、その出力における貸し出し履歴と上記処理部が遊技台から直接取得した遊技台履歴の両方またはいずれか一方からなる履歴データをカードＩＤに対応づけて上記記憶部に記憶させる機能と、上記カード読み取り部が検出したカードＩＤに対応する上記記憶部から記憶されたデータを上記表示部に表示させる機能とを備えた遊技媒体の貸し出し制御装置。
【手続補正２】
【補正対象書類名】明細書
【補正対象項目名】００１０
【補正方法】変更
【補正の内容】
【００１０】
【課題を解決するための手段】
第１の発明は、処理部と、この処理部に連携した記憶部と、払い出し制御部と、表示部と、カードＩＤを読み取るカード読み取り部とを、個々の遊技台に対応して個別に設け、上記処理部は、予め設定された条件に基づいて、払い出し命令信号を払い出し制御部に対して出力する機能と、上記払い出し命令信号の出力毎に、その出力における貸し出し履歴と上記処理部が遊技台から直接取得した遊技台履歴の両方またはいずれか一方からなる履歴データをカードＩＤに対応づけて上記記憶部に記憶させる機能と、上記カード読み取り部が検出したカードＩＤに対応する上記記憶部から記憶されたデータを上記表示部に表示させる機能とを備えた点に特徴を有する。
上記カードＩＤとは、カードを特定するためのカード特定情報で、ここでは、カード読み取り機によって読み取り可能なデータとして、カードに備えたもので、会員特定情報である会員ＩＤと対応している。
【手続補正書】
【提出日】平成17年7月20日(2005.7.20)
【手続補正１】
【補正対象書類名】明細書
【補正対象項目名】請求項１
【補正方法】変更
【補正の内容】
【請求項１】
開閉動作を行う開閉部材を有する入賞装置と、該入賞装置に流入した遊技球を検知する検知手段と、複数種類の識別情報を変動させて表示する変動演出を行う表示装置とを備え、遊技球が始動入賞口に入賞したことに基づき、前記開閉部材が開閉動作する補助遊技が生起され、該補助遊技中に前記入賞装置に流入した遊技球が該入賞装置内に設けられた特別入賞口に入賞したことに基づき、前記開閉部材が開閉動作するサイクル遊技の回数を抽選して当該抽選結果に応じた識別情報を前記表示装置に表示させる変動演出が行われると共に、サイクル遊技中に前記入賞装置に流入した遊技球が前記特別入賞口に入賞して継続条件が成立すると新たなサイクル遊技が継続して行われる特別遊技が生起され、前記サイクル遊技は、抽選された回数に達するサイクル遊技よりも前に行われるサイクル遊技については前記継続条件が成立し易い高継続状態で行われる一方で、前記抽選された回数に達するサイクル遊技及び該サイクル遊技よりも後に行われるサイクル遊技については前記継続条件が成立し難い低継続状態で行われる遊技機において、
前記入賞装置に流入した遊技球を一時的に停留する停留状態と該停留状態を解除する停留解除状態に動作可能な停留部材、及び前記停留部材から受け入れた遊技球を特別入賞口に誘導する誘導状態と該誘導状態を解除する誘導解除状態に動作可能な誘導部材を前記入賞装置内に設けると共に、前記停留部材と誘導部材の動作を制御する部材制御手段を設け、
前記部材制御手段は、抽選された回数に達したサイクル遊技及び該サイクル遊技よりも後に行われるサイクル遊技において、前記サイクル遊技の開始に伴って、前記停留部材を停留解除状態で停止させると共に前記誘導部材を誘導解除状態で停止させ、該サイクル遊技中に前記検知手段が検知した遊技球の個数が第１の個数に達した時点で前記停留部材又は前記誘導部材のうち何れか一方の部材の動作を開始させると共に、前記検知手段が検知した遊技球の個数が前記第１の個数よりも多い第２の個数に達した時点で他方の部材の動作を開始させるように制御する遊技機。
【手続補正２】
【補正対象書類名】明細書
【補正対象項目名】請求項３
【補正方法】変更
【補正の内容】
【請求項３】
前記部材制御手段は、抽選された回数に達したサイクル遊技及び該サイクル遊技よりも後に行われるサイクル遊技において、前記入賞装置に流入した遊技球が前記特別入賞口に入賞する確率を低めてサイクル遊技の継続割合を低めた前記低継続状態となるように前記停留部材と前記誘導部材の動作を制御し、
前記部材制御手段は、抽選された回数に達したサイクル遊技よりも前に行われるサイクル遊技において、前記入賞装置に流入した遊技球が前記特別入賞口に入賞する確率を高めてサイクル遊技の継続割合を高めた前記高継続状態となるように前記停留部材と前記誘導部材の動作を制御する請求項１又は請求項２に記載の遊技機。
【手続補正３】
【補正対象書類名】明細書
【補正対象項目名】００１０
【補正方法】変更
【補正の内容】
【００１０】
【課題を解決するための手段】
上記問題点を解決するために、請求項１に記載の発明は、開閉動作を行う開閉部材を有する入賞装置と、該入賞装置に流入した遊技球を検知する検知手段と、複数種類の識別情報を変動させて表示する変動演出を行う表示装置とを備え、遊技球が始動入賞口に入賞したことに基づき、前記開閉部材が開閉動作する補助遊技が生起され、該補助遊技中に前記入賞装置に流入した遊技球が該入賞装置内に設けられた特別入賞口に入賞したことに基づき、前記開閉部材が開閉動作するサイクル遊技の回数を抽選して当該抽選結果に応じた識別情報を前記表示装置に表示させる変動演出が行われると共に、サイクル遊技中に前記入賞装置に流入した遊技球が前記特別入賞口に入賞して継続条件が成立すると新たなサイクル遊技が継続して行われる特別遊技が生起され、前記サイクル遊技は、抽選された回数に達するサイクル遊技よりも前に行われるサイクル遊技については前記継続条件が成立し易い高継続状態で行われる一方で、前記抽選された回数に達するサイクル遊技及び該サイクル遊技よりも後に行われるサイクル遊技については前記継続条件が成立し難い低継続状態で行われる遊技機において、前記入賞装置に流入した遊技球を一時的に停留する停留状態と該停留状態を解除する停留解除状態に動作可能な停留部材、及び前記停留部材から受け入れた遊技球を特別入賞口に誘導する誘導状態と該誘導状態を解除する誘導解除状態に動作可能な誘導部材を前記入賞装置内に設けると共に、前記停留部材と誘導部材の動作を制御する部材制御手段を設け、前記部材制御手段は、抽選された回数に達したサイクル遊技及び該サイクル遊技よりも後に行われるサイクル遊技において、前記サイクル遊技の開始に伴って、前記停留部材を停留解除状態で停止させると共に前記誘導部材を誘導解除状態で停止させ、該サイクル遊技中に前記検知手段が検知した遊技球の個数が第１の個数に達した時点で前記停留部材又は前記誘導部材のうち何れか一方の部材の動作を開始させると共に、前記検知手段が検知した遊技球の個数が前記第１の個数よりも多い第２の個数に達した時点で他方の部材の動作を開始させるように制御することを要旨とする。
【手続補正４】
【補正対象書類名】明細書
【補正対象項目名】００１２
【補正方法】変更
【補正の内容】
【００１２】
請求項３に記載の発明は、請求項１又は請求項２に記載の遊技機において、前記部材制御手段は、抽選された回数に達したサイクル遊技及び該サイクル遊技よりも後に行われるサイクル遊技において、前記入賞装置に流入した遊技球が前記特別入賞口に入賞する確率を低めてサイクル遊技の継続割合を低めた前記低継続状態となるように前記停留部材と前記誘導部材の動作を制御し、前記部材制御手段は、抽選された回数に達したサイクル遊技よりも前に行われるサイクル遊技において、前記入賞装置に流入した遊技球が前記特別入賞口に入賞する確率を高めてサイクル遊技の継続割合を高めた前記高継続状態となるように前記停留部材と前記誘導部材の動作を制御することを要旨とする。
【手続補正書】
【提出日】平成17年8月24日(2005.8.24)
【手続補正１】
【補正対象書類名】明細書
【補正対象項目名】特許請求の範囲
【補正方法】変更
【補正の内容】
【特許請求の範囲】
【請求項１】  遊技機での獲得遊技媒体数に応じた有価価値情報を累積的に記憶するための遊技者用個人口座が開設され、その個人口座に記憶された有価価値情報の決済を任意時期に行い得るようした遊技場用管理システムにおいて、
前記個人口座として、有価価値情報の累積的記憶が常時において可能な普通口座と、遊技場側が任意に設定変更できる所定条件を満たした場合のみ有価価値情報の累積的記憶が可能となる特別口座とを設定し、
遊技者にとって、前記特別口座に記憶された有価価値情報の決済条件が前記普通口座に記憶された有価価値情報の決済条件より有利な状態となるように設定したことを特徴とする遊技場用管理システム。
【請求項２】  前記特別口座に記憶された有価価値情報を景品と交換する際の価値が、前記普通口座に記憶された有価価値情報を景品と交換する際の価値より高い値に設定されており、前記特別口座及び普通口座に記憶された各有価価値情報をそれぞれの価値に応じた換算を行った状態で合算可能に構成されていることを特徴とする請求項１記載の遊技場用管理システム。
【請求項３】  前記特別口座及び普通口座間での有価価値情報の双方向移動を、遊技場側で任意に実施できるように構成されていることを特徴とする請求項１または２記載の遊技場用管理システム。
【手続補正２】
【補正対象書類名】明細書
【補正対象項目名】０００６
【補正方法】変更
【補正の内容】
【０００６】
【課題を解決するための手段】
請求項１記載の発明は、遊技機での獲得遊技媒体数に応じた有価価値情報を累積的に記憶するための遊技者用個人口座が開設され、その個人口座に記憶された有価価値情報の決済を任意時期に行い得るようした遊技場用管理システムを対象としたものであり、このようなシステムにおいて、上記目的を達成するために、前記個人口座として、有価価値情報の累積的記憶が常時において可能な普通口座と、遊技場側が任意に設定変更できる所定条件を満たした場合のみ有価価値情報の累積的記憶が可能となる特別口座とを設定し、遊技者にとって、前記特別口座に記憶された有価価値情報の決済条件が前記普通口座に記憶された有価価値情報の決済条件より有利な状態となるように設定する構成としたものである。
【手続補正３】
【補正対象書類名】明細書
【補正対象項目名】０００７
【補正方法】変更
【補正の内容】
【０００７】
この構成によれば、個人口座に特別口座が設定された遊技者は、その特別口座に記憶された有価価値情報を決済するときに通常時より有利な取り扱いを受けることができる。このような利益が得られる特別口座は、所定条件を満たした場合に設定されるものであって、どの遊技者にも開設チャンスがあるから、遊技者の射幸心を高めて遊技場への来店への動機付けを図ることができ、以て常時において集客性の向上を実現できるようになる。また、個人口座に通常の普通口座の他に特別口座を設定するだけで済むから、システム構成及びハードウェア構成が複雑化する恐れがなくなってコストの高騰を抑制できる。しかも、特別口座の設定条件である上記所定条件は、これを遊技場側において任意に変更設定できる構成となっているから、当該特別口座に対して有価価値情報を累積的に記憶可能となる条件の多様化、つまり、遊技者が特別口座を開設できるチャンスの多様化を実現できる。このため、遊技場側で遊技者にとって有利となる様々なイベントを行うことが可能となり、集客性の向上を期待できるようになる。
【手続補正４】
【補正対象書類名】明細書
【補正対象項目名】０００８
【補正方法】変更
【補正の内容】
【０００８】
請求項２記載の発明は、前記特別口座に記憶された有価価値情報を景品と交換する際の価値が、前記普通口座に記憶された有価価値情報を景品と交換する際の価値より高い値に設定されており、前記特別口座及び普通口座に記憶された各有価価値情報をそれぞれの価値に応じた換算を行った状態で合算可能に構成したものである。
この構成によれば、特別口座を開設することが、景品交換時における遊技者の利益向上に繋がることになるから、その特別口座の魅力が高まるようになって集客性の向上を図る上で有益になり、また、特別口座及び普通口座に記憶された各有価価値情報の精算を簡略に行い得るようになる。
【手続補正５】
【補正対象書類名】明細書
【補正対象項目名】０００９
【補正方法】変更
【補正の内容】
【０００９】
請求項３記載の発明は、前記特別口座及び普通口座間での有価価値情報の双方向移動を、遊技場側で任意に実施できるように構成したものである。
この構成によれば、遊技場側による特別口座及び普通口座のメンテナンスを自由に行い得るようになるから、その管理を円滑に行うことが可能になる。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正書】
【提出日】平成17年4月28日(2005.4.28)
【手続補正１】
【補正対象書類名】明細書
【補正対象項目名】特許請求の範囲
【補正方法】変更
【補正の内容】
【特許請求の範囲】
【請求項１】
格子状の側壁を有する底面開口状のケージ本体と、該ケージ本体の底面開口を閉鎖する底板と、前記底板の周縁に設置し、前記側壁を形成する横桟にバックルのフックを係合させ、前記横桟を底板に引き寄せて前記ケージ本体を前記底板に係止する係止装置とを備えたペットケージにおいて、前記バックルのフックを係合させる横桟を、前記側壁を形成する縦桟間に差し渡して配設された直線状の棒体とすると共に、前記バックルのフックが係合する横桟の両側に位置する前記縦桟間の幅を、前記バックルの幅よりも僅かに大きくしたことを特徴とするペットケージ。
【請求項２】
上記バックルのフックを係合させる横桟を、ケージ本体を形成するために全幅に亘って張り巡らされる横桟とは別個の短尺な直線状の棒体とし、該短尺な直線状の棒体をケージ本体の側壁下方の縦桟間に差し渡して配設したことを特徴とする、請求項１に記載のペットケージ。
【請求項３】
上記バックルのフックを係合させる横桟を、ケージ本体の側壁内側に位置するように縦桟間に差し渡して配設したことを特徴とする、請求項１又は２に記載のペットケージ。
【手続補正２】
【補正対象書類名】明細書
【補正対象項目名】０００７
【補正方法】変更
【補正の内容】
【０００７】
【課題を解決するための手段】
本発明のペットケージでは、格子状の側壁を有する底面開口状のケージ本体と、該ケージ本体の底面開口を閉鎖する底板と、前記底板の周縁に設置し、前記側壁を形成する横桟にバックルのフックを係合させ、前記横桟を底板に引き寄せて前記ケージ本体を前記底板に係止する係止装置とを備えたペットケージにおいて、前記バックルのフックを係合させる横桟を、前記側壁を形成する縦桟間に差し渡して配設された直線状の棒体とすると共に、前記バックルのフックが係合する横桟の両側に位置する前記縦桟間の幅を、前記バックルの幅よりも僅かに大きくしたことを特徴としている。
【手続補正３】
【補正対象書類名】明細書
【補正対象項目名】０００８
【補正方法】変更
【補正の内容】
【０００８】
この発明によるペットケージでは、先行技術のように、略コ字状の膨出部を形成していないので、それだけ桟の形状が単純になり、製造コストの低減が図れ、ケージ本体製造過程において、ケージ本体を隙間なく並べることができ、それだけ保管スペースを減少させることができる。
【手続補正４】
【補正対象書類名】明細書
【補正対象項目名】００１５
【補正方法】変更
【補正の内容】
【００１５】
また、ケージ本体１０では、上記係止装置３０のバックル３１に対向する位置にある縦桟１１，１１間の幅Ｗ１を、バックル３１の幅Ｗ２よりも僅かに大きくし、その縦桟１１，１１間に、図２に示したように、ケージ本体１０の側壁内側に位置するように横桟１２を差し渡して溶接，接着剤等によって縦桟１１，１１に固着させている。
【手続補正５】
【補正対象書類名】明細書
【補正対象項目名】００２４
【補正方法】変更
【補正の内容】
【００２４】
【発明の効果】
以上説明したように、本発明のペットケージでは、ケージ本体が底板に対して水平方向に移動しようとした場合に、側壁を形成する縦桟がバックルに当接して、その移動が阻止される。しかも、この発明によるペットケージでは、先行技術のように、略コ字状の膨出部を形成していないので、それだけ桟の形状が単純になり、製造コストの低減が図れる。  また、ケージ本体製造過程において、ケージ本体を隙間なく並べることができるので、それだけ保管スペースを減少させることができる。
【手続補正書】
【提出日】平成17年10月21日(2005.10.21)
【手続補正１】
【補正対象書類名】明細書
【補正対象項目名】請求項６
【補正方法】変更
【補正の内容】
【請求項６】
前記ねじ込み部は、スピニングリールの前記リール本体の後部に突出して装着可能であり、
前記操作部材は、スピニングリールのリアドラグ機構の操作つまみである、請求項２から５のいずれかに記載の釣用リールのねじ操作構造。
【手続補正２】
【補正対象書類名】明細書
【補正対象項目名】００１３
【補正方法】変更
【補正の内容】
【００１３】
発明６に係る釣用リールのねじ操作構造は、発明２から５のいずれかに記載のねじ操作構造において、ねじ込み部がスピニングリールのリール本体の後部に突出して装着可能であり、操作部材がスピニングリールのリアドラグ機構の操作つまみとなっている。この場合、ねじ込み部がスピニングリールのリール本体の後部に装着可能になっており、操作部材がスピニングリールのリアドラグ機構の操作つまみとなっているので、リアドラグ機構をねじ込み部にあらかじめ組み付け、操作つまみと連結しておくことで、リアドラグ機構とねじ操作構造とをリール本体に容易に装着することができる。
【手続補正書】
【提出日】平成17年10月21日(2005.10.21)
【手続補正１】
【補正対象書類名】明細書
【補正対象項目名】００２０
【補正方法】変更
【補正の内容】
【００２０】
【発明の実施の形態】
〔リール本体およびねじ操作構造の構成〕
図１に示す本発明の一実施形態を採用したスピニングリールは、主に、ハンドル１０を備えたリール本体１と、リール本体１の前部に回転自在に支持されたロータ２と、ロータ２の前部に配置され釣り糸を巻き取るためのスプール３とを備えている。ここで、ロータ２には釣り糸を巻き取るためのベール４が、ベール４には釣り糸を案内するラインローラ５が、取り付けられている。
【手続補正書】
【提出日】平成17年5月20日(2005.5.20)
【手続補正１】
【補正対象書類名】明細書
【補正対象項目名】特許請求の範囲
【補正方法】変更
【補正の内容】
【特許請求の範囲】
【請求項１】
３次元画像データを生成することが可能な画像データ生成装置であって、
３次元画像の処理に関するパラメータを入力するパラメータ入力手段と、
前記１つ以上のパラメータを基に、３次元画像の処理を制御するための制御情報を生成する処理制御情報手段と、
前記処理制御情報のパラメータの種類又はその組み合わせから３次元画像データのバージョンを示すバージョン情報を生成するバージョン情報生成手段と、
前記処理制御情報と、前記バージョン情報と、３次元処理可能な画像データとを含む３次元画像データを生成する画像データ生成手段とを備えることを特徴とする画像データ生成装置。
【請求項２】
前記画像データ生成手段は、さらに、３次元画像であることを示す３次元画像識別情報を生成することを特徴とする請求項１記載の画像データ生成装置。
【請求項３】
３次元画像データから３次元画像を再生する画像データ再生装置であって、
３次元画像データのバージョンを示すバージョン情報、３次元画像の処理を制御するための１つ以上のパラメータを示す処理制御情報を含む３次元画像データを入力する３次元画像データ入力手段と、
前記バージョン情報を解析してその３次元画像を再生可能かどうかを判定するバージョン判定手段を備えることを特徴とする画像データ再生装置。
【請求項４】
さらに、前記処理制御情報を解析して３次元画像の再生に必要な制御パラメータを得る処理制御情報解析手段とを備え、
前記３次元画像データを、前記制御パラメータに従って再生することを特徴とする請求項３記載の画像データ再生装置。
【請求項５】
前記バージョン判定手段は、前記解析したバージョンに応じて３次元画像が適切に再生できるかどうかを判定することを特徴とする請求項３記載の画像データ再生装置。
【請求項６】
前記解析したバージョンが所定のバージョン以下であれば前記処理制御情報に従って３次元画像を再生し、前記バージョンが所定のバージョンより大きければ３次元画像を再生しないことを特徴とする請求項３記載の画像データ再生装置。
【請求項７】
前記解析したバージョンが所定のバージョン以下であれば前記処理制御情報に従って３次元画像を再生し、前記バージョンが所定のバージョンより大きければ、３次元画像を変換して２次元画像として再生することを特徴とする請求項３記載の画像データ再生装置。
【請求項８】
前記解析したバージョンが所定のバージョン以下であれば前記処理制御情報に従って３次元画像を再生し、前記バージョンが所定のバージョンより大きければ、予め定められた処理制御パラメータに従って３次元画像を再生することを特徴とする請求項３記載の画像データ再生装置。
【請求項９】
３次元画像であることを示す３次元画像識別情報と、３次元画像データのバージョンを示すバージョン情報とを含んで構成された３次元画像データを格納することを特徴とする記録媒体。
【請求項１０】
３次元画像であることを示す３次元画像識別情報と、３次元画像データのバージョンを示すバージョン情報と、３次元画像の処理を制御するための１つ以上のパラメータを示す処理制御情報とを含んで構成された３次元画像データを格納することを特徴とする記録媒体。
【請求項１１】
前記バージョン情報が、前記３次元画像識別情報より後方に位置し、かつ、前記処理制御情報より前に位置するように構成された３次元画像データを格納することを特徴とする請求項１０記載の記録媒体。
【請求項１２】
前記処理制御情報の種類や組み合わせは、前記バージョン情報で示されるバージョンに関して階層構造を有し、下位バージョンの３次元画像データに含まれる処理制御情報は、それより上位のバージョンの３次元画像データにも同様に含まれるように構成された３次元画像データを格納することを特徴とする請求項１０又は１１に記載の記録媒体。
【請求項１３】
３次元処理用の画像データを生成する画像データ生成方法であって、
３次元画像の処理に関するパラメータを入力するステップと、
入力された１つ以上のパラメータを基に、３次元画像の処理を制御するための処理制御情報を生成するステップと、
処理制御情報のパラメータの種類又はその組み合わせから３次元画像データのバージョンを示すバージョン情報を生成するステップと、
前記処理制御情報と、前記バージョン情報とを含む３次元画像データを生成するステップと
を有することを特徴とする画像データ生成方法。
【請求項１４】
３次元画像データから３次元画像を再生する画像データ再生方法であって、
３次元画像データのバージョンを示すバージョン情報、３次元画像の処理を制御するための１つ以上のパラメータを示す処理制御情報を含む３次元画像データを入力するステップと、
前記バージョン情報を解析してその３次元画像を再生可能かどうかを判定するステップとを有することを特徴とする画像データ再生方法。
【請求項１５】
３次元画像データを所定の記録領域に記録する画像データ記録装置であって、前記３次元画像データは、３次元画像のバージョンを示すバージョン情報を含み、
前記記録領域は、前記３次元画像を記録するための画像記録領域を有し、
前記バージョン情報を前記画像記録領域に記録することを特徴とする画像データ記録装置。
【請求項１６】
３次元画像データを所定の記録領域に記録する画像データ記録装置であって、
前記３次元画像データは、３次元画像のバージョンを示すバージョン情報を含み、
前記記録領域は、音声を記録するための音声記録領域を有し、
前記バージョン情報を前記音声記録領域に記録することを特徴とする画像データ記録装置。
【請求項１７】
３次元画像データを所定の記録領域に記録する画像データ記録装置であって、
前記３次元画像データは、３次元画像のバージョンを示すバージョン情報を含み、
前記記録領域は、付随情報を記録するためのサブコード領域を有し、
前記バージョン情報を前記サブコード領域に記録することを特徴とする画像データ記録装置。
【請求項１８】
前記バージョン情報を用いて３次元画像の処理を制御するための１つ以上のパラメータを決定し、前記パラメータを変更することを特徴とする、請求項１５乃至１７記載の画像データ記録装置。
【請求項１９】
前記バージョン情報を用いて３次元画像の処理を制御するための１つ以上のパラメータを決定し、前記パラメータを追加することを特徴とする、請求項１５乃至１７記載の画像データ記録装置。
【請求項２０】
３次元画像の処理を制御するための１つ以上のパラメータを、前記記録領域に複数回記録することを特徴とする、請求項１５乃至１７記載の画像データ記録装置。
【手続補正書】
【提出日】平成17年6月30日(2005.6.30)
【手続補正１】
【補正対象書類名】明細書
【補正対象項目名】特許請求の範囲
【補正方法】変更
【補正の内容】
【特許請求の範囲】
【請求項１】
位置検出手段と無線手段を含む複数の移動局と、
表示手段と無線手段と信号処理手段を含む基地局と、より構成され、
前記基地局からのポーリング送信を受信した前記複数の移動局が返信を行う無線データ伝送システムにおいて、
前記ポーリング送信の信号に返信用のスロット数を指定した情報を含めて送信し、
これを受信した移動局の各々は、前記位置検出手段にて取得した位置情報と、自局の動態情報と、自局の車両番号とを、前記指定されたスロット数に応じて前記無線手段より返信することを特徴とする無線データ伝送システムの地区ポーリング方式。
【請求項２】
位置検出手段と無線手段を含む複数の移動局と、
表示手段と無線手段と信号処理手段を含む基地局と、より構成され、
前記基地局からのポーリング送信を受信した前記複数の移動局が返信を行う無線データ伝送システムにおいて、
前記ポーリング送信の信号に緯度・経度情報に基づく地区エリアと、返信用のスロット数を指定した情報を含めて送信し、
これを受信した移動局の各々は、前記位置検出手段にて取得した位置情報が前記地区エリアに含まれている場合に、自局の位置情報と、自局の動態情報と、自局の車両番号とを、前記指定されたスロット数に応じて前記無線手段より返信することを特徴とする無線データ伝送システムの地区ポーリング方式。
【請求項３】
前記基地局は、前記複数の移動局からのポーリング送信の返信に含まれる各移動局の位置情報に基づいて、前記返信用のスロット数を可変して設定し、
前記移動局の各々は、前記指定されたスロット数に応じてランダムにスロット割り当てを行って前記無線手段より返信することを特徴とする前記請求項１または請求項２に記載の無線データ伝送システムの地区ポーリング方式。
【請求項４】
前記基地局は、前記複数の移動局からのポーリング送信の返信に含まれる各移動局の位置情報に基づいて表示手段に地図データと共に移動局の所在を表示し、
該表示された地図データの所定の範囲に所在する移動局に応じて前記返信用のスロット数を可変して設定することを特徴とする前記請求項１乃至請求項３に記載の無線データ伝送システムの地区ポーリング方式。
【手続補正書】
【提出日】平成17年10月18日(2005.10.18)
【手続補正１】
【補正対象書類名】明細書
【補正対象項目名】特許請求の範囲
【補正方法】変更
【補正の内容】
【特許請求の範囲】
【請求項１】  原稿の表面画像を読み取るための第１の画像読み取り手段と、前記原稿の裏面画像を読み取るための第２の画像読み取り手段とを備え、前記原稿の両面画像を略同時に読み取ることができる画像読み取り装置であって、
前記第１の画像読み取り手段に、前記第２の画像読み取り手段によるシェーディングデータを取得するためのシェーディング部材を具備し、
前記第２の読み取り手段による前記シェーディングデータの取得時に、前記第１の画像読み取り手段を副走査方向に移動させることで、前記シェーディング部材の異なる個所を複数回読み取って前記シェーディングデータを取得することを特徴とする画像読み取り装置。
【請求項２】  原稿の表面画像を読み取るための第１の画像読み取り手段と、前記原稿の裏面画像を読み取るための第２の画像読み取り手段とを備え、前記原稿の両面画像を略同時に読み取ることができる画像読み取り装置であって、
前記第１の画像読み取り手段と前記第２の画像読み取り手段がお互いに対向した状態で、前記第１及び第２の画像読み取り手段のうち一方の画像読み取り手段の原稿照明光源を点灯させるとともに他方の画像読み取り手段の原稿照明光源を消灯させた状態で原稿照明光源を消灯させた画像読み取り手段による読み取り動作を実行させることで読み取り光路上に存在するゴミを検出することを特徴とする画像読み取り装置。
【請求項３】  原稿の画像を読み取る画像読み取り手段と対向する位置に配置された発光体を備え、前期発光体を発光させるとともに前記画像読み取り手段の原稿照明光源を消灯させた状態で前記画像読み取り手段による読み取り動作を実行させることで前記画像読み取り手段の読み取り光路上に存在するゴミを検出し、前記画像読み取り手段により原稿画像を読み取る際に前記発光体を消灯させることで前記発光体が原稿の裏写りを軽減する背景部材としての機能を備えることを特徴とする画像読み取り装置。
【手続補正２】
【補正対象書類名】明細書
【補正対象項目名】０００１
【補正方法】変更
【補正の内容】
【０００１】
【発明の属する技術分野】
本発明は、画像読み取り装置に関する。
【手続補正３】
【補正対象書類名】明細書
【補正対象項目名】００２１
【補正方法】変更
【補正の内容】
【００２１】
【課題を解決するための手段】
上記問題点に鑑み、本発明の画像読み取り装置は、原稿の表面画像を読み取るための第１の画像読み取り手段と、前記原稿の裏面画像を読み取るための第２の画像読み取り手段とを備え、前記原稿の両面画像を略同時に読み取ることができる画像読み取り装置であって、前記第１の画像読み取り手段に、前記第２の画像読み取り手段によるシェーディングデータを取得するためのシェーディング部材を具備し、前記第２の読み取り手段による前記シェーディングデータの取得時に、前記第１の画像読み取り手段を副走査方向に移動させることで、前記シェーディング部材の異なる個所を複数回読み取って前記シェーディングデータを取得することを特徴とする。
【手続補正４】
【補正対象書類名】明細書
【補正対象項目名】００２２
【補正方法】変更
【補正の内容】
【００２２】
また、原稿の表面画像を読み取るための第１の画像読み取り手段と、前記原稿の裏面画像を読み取るための第２の画像読み取り手段とを備え、前記原稿の両面画像を略同時に読み取ることができる画像読み取り装置であって、前記第１の画像読み取り手段と前記第２の画像読み取り手段がお互いに対向した状態で、前記第１及び第２の画像読み取り手段のうち一方の画像読み取り手段の原稿照明光源を点灯させるとともに他方の画像読み取り手段の原稿照明光源を消灯させた状態で原稿照明光源を消灯させた画像読み取り手段による読み取り動作を実行させることで読み取り光路上に存在するゴミを検出することを特徴とする。
【手続補正５】
【補正対象書類名】明細書
【補正対象項目名】００２３
【補正方法】変更
【補正の内容】
【００２３】
また、原稿の画像を読み取る画像読み取り手段と対向する位置に配置された発光体を備え、前期発光体を発光させるとともに前記画像読み取り手段の原稿照明光源を消灯させた状態で前記画像読み取り手段による読み取り動作を実行させることで前記画像読み取り手段の読み取り光路上に存在するゴミを検出し、前記画像読み取り手段により原稿画像を読み取る際に前記発光体を消灯させることで前記発光体が原稿の裏写りを軽減する背景部材としての機能を備えることを特徴とする。
【手続補正６】
【補正対象書類名】明細書
【補正対象項目名】００２４
【補正方法】削除
【補正の内容】
【手続補正７】
【補正対象書類名】明細書
【補正対象項目名】００２５
【補正方法】削除
【補正の内容】
【手続補正８】
【補正対象書類名】明細書
【補正対象項目名】００５１
【補正方法】変更
【補正の内容】
【００５１】
図１２は、トレイ７１に両面原稿を２枚載置し、１枚目の原稿の裏面画像がＣＩＳ１１によって読み取られようとしている様子を表す図である。
【手続補正９】
【補正対象書類名】明細書
【補正対象項目名】００７１
【補正方法】変更
【補正の内容】
【００７１】
【発明の効果】
以上説明したように、請求項１に記載の発明によれば、裏面読み取り画像に対するシェーディング補正の際に、シェーディングデータに対するゴミの影響を少なくすることができる。また、請求項２に記載の発明によれば、ゴミの検出精度を高めることができる。また、請求項３に記載の発明によれば、ゴミの検出精度を高めることができ、原稿読み取り時の裏写りを軽減することができる。
【手続補正１０】
【補正対象書類名】明細書
【補正対象項目名】００７２
【補正方法】削除
【補正の内容】
【手続補正１１】
【補正対象書類名】明細書
【補正対象項目名】００７３
【補正方法】削除
【補正の内容】
【手続補正１２】
【補正対象書類名】明細書
【補正対象項目名】００７４
【補正方法】削除
【補正の内容】
【手続補正１３】
【補正対象書類名】明細書
【補正対象項目名】００７５
【補正方法】削除
【補正の内容】
【手続補正書】
【提出日】平成16年11月26日(2004.11.26)
【手続補正１】
【補正対象書類名】明細書
【補正対象項目名】請求項２２
【補正方法】変更
【補正の内容】
【請求項２２】
交流を直流に整流する三相整流器と、
三相交流電源の各相に接続された３個のリアクトルと、
直流に整流された直流母線電圧を平滑化する平滑コンデンサと、
前記三相交流電源の中性点を形成するように前記リアクトルの出力端にその一端が接続された短絡手段と、
前記短絡手段の他端が接続され、前記平滑コンデンサに接続されるコンデンサと、
を備えたことを特徴とする請求項１に記載の高調波抑制回路。
【手続補正書】
【提出日】平成17年11月2日(2005.11.2)
【手続補正１】
【補正対象書類名】明細書
【補正対象項目名】００３１
【補正方法】変更
【補正の内容】
【００３１】
図６は、かみそりヘッドの複数の刃体と天板とガードバーの好ましい関係を示したものである。天板１３とガードバー２０を結ぶ共通接線に対して突出する上刃２１の刃先縁から前記共通接線に垂直に引いた露出量をｈ１、下刃２２の同じ露出量をｈ２、上刃２１と共通接線のなす角度である剃り角度をθ１、下刃２２の剃り角度をθ２として、露出量ｈは共に０．１ｍｍ以下であって且つｈ１がｈ２以上であり、剃り角度θは共に１０度から２０度であるときに滑らかに剃ることができる。また、ホルダーの把持部を通る軸線に対して前記共通接線のなす角度であるホルダー角度は、不使用時で１８度、かみそりヘッドが４５度揺動するとして使用時に１８度から６３度にすると剃り心地のよい安全かみそりを得ることができる。